(57)【要約】【課題】付加機能を持つ空気調和装置と基本機能しか持たない空気調和装置との間で電装ユニットの共通化をできるだけ行いつつ、電装ユニットの製造コストを抑える。【解決手段】この電装ユニット７３は、基本機能に加えて付加機能を追加可能な電装ユニットであって、基本機能に関する電気部品が実装される基本基板（８１）を覆うケーシング（８０）及び標準機用カバー（８２）を有する基本電装品箱（７３０）を備えている。そして、付加機能を追加するときには、付加機能に関する電気部品が実装される付加基板（９１）を覆う付加電装品箱（９０）が、標準機用カバー（８２）を外した基本電装品箱に標準機用カバー（８２）の代わりに装着される。【選択図】      図１１
2005016801.tif 000002
【特許請求の範囲】
【請求項１】
基本機能に加えて付加機能を追加可能な空気調和装置（１）の室内機（２）の電装ユニット（７３）であって、
前記基本機能に関する電気部品が実装される基本基板（８１）を覆う第１及び第２カバー（８０）（８２）を有する基本電装品箱（７３０）を備え、
前記付加機能を追加するときには、前記付加機能に関する電気部品が実装される付加基板（９１）を覆う第３カバーを有する付加電装品箱（９０）が、前記第２カバー（８２）を外した前記基本電装品箱（７３０）に前記第２カバー（８２）の代わりに装着される、
空気調和装置の室内機の電装ユニット。
【請求項２】
前記第１カバー（８０）は前記基本基板（８１）の側方及び下方を覆う箱本体であり、
前記第２カバー（８２）は前記基本基板（８１）の上方を覆う蓋である、
請求項１に記載の空気調和装置の室内機の電装ユニット。
【請求項３】
前記第２カバー（８２）及び前記第３カバー（９０）はともに防炎機能を有している、
請求項２に記載の空気調和装置の室内機の電装ユニット。
【請求項４】
前記第１カバー（８０）は固定部（８０ａ）を有しており、
前記第２カバー（８２）及び前記第３カバー（９０）はともに前記第１カバー（８０）の固定部（８０ａ）に係合する被固定部（８２ａ）（９０ａ）を有している、
請求項１から３のいずれかに記載の空気調和装置の室内機の電装ユニット。
【請求項５】
前記付加機能を追加するときには、前記基本基板（８１）と前記付加基板（９１）とを結ぶ信号線（９２）が、前記第１カバー（８０）及び前記第３カバー（９０）の内側空間を通る、
請求項１から４のいずれかに記載の空気調和装置の室内機の電装ユニット。
【発明の詳細な説明】
【０００１】
【発明の属する技術分野】
本発明は、電装ユニット、特に、基本機能に加えて付加機能を追加可能な空気調和装置の室内機の電装ユニットに関する。
【０００２】
【従来の技術】
近年、家庭など多くの場所に空気調和装置が設置されるようになってきている。そして、最近では、マイクロコンピュータが内蔵され高度の機能を持つ空気調和装置が出現してきている。また、冷暖房などの基本機能だけではなく、垂直フラップによるきめ細かい送風調整機能、脱臭機能、イオン発生機能、集塵機能など、複数の付加的な機能を装備する空気調和装置も現れてきている。例えば、特許文献１に開示されている空気調和装置は、高圧放電を利用する殺菌集塵装置を備えており、特許文献２に開示されている空気調和装置は、空調室内の人を検知する人検知機能を備えている。
【０００３】
【特許文献１】
特開平９−６１０号公報
【０００４】
【特許文献２】
特開２００１−２５４９８６号公報
【０００５】
【発明が解決しようとする課題】
上記のように、最近のルームエアコンなどの空気調和装置では、高度な付加機能をつけて運転を行い、より快適な空調環境の提供を図ろうとする傾向がある。
但し、このような高度な付加機能をつけた場合、制御用回路の電気部品の種類や数が増え、これらの電気部品を搭載する基板を含む電装ユニットが大型化する。
【０００６】
一方、高度な付加機能を持つ高級な空気調和装置とは別に、基本機能のみを有する廉価版の標準仕様の空気調和装置（以下、標準機とも記す）も存在する。したがって、高級仕様の空気調和装置と廉価版の空気調和装置とで共通化できる部分を共通化しておけば、メーカーとしてはユーザーに対して安価に各空気調和装置を提供できることになる。このため、メーカーにおいては、できるだけ高級仕様の空気調和装置と廉価版の空気調和装置とで各部の共通化を図る傾向が見られる。
【０００７】
当然、室内機の電装ユニットについても以前から共通化が図られており、本願出願人は、ＤＣ電源回路やマイクロコンピュータが実装される基板を、付加機能を持つ高級な空気調和装置と基本機能しか持たない廉価版の空気調和装置との間で共通化している。
しかし、上記のように、近年では次々に高度な付加機能が出現してきており、これらを搭載できるように共通の基板を設計すると、基板が大型化してしまうとともに製造コストも高くなってしまう。
【０００８】
また、空気調和装置の室内機においては、上下のユニットに分離可能なように構成されているものがあるが、一般的に、電装ユニットは下部ユニットに装着されるようになっている。そして、このような上下のユニットに分離可能な室内機では、輸送時においても上下のユニットに分離して輸送される場合が多い。このような状況において、下部ユニットに装着された電装ユニットが大型化してしまうと、電装ユニットが下部ユニットの上面から突出し、輸送時や輸送に際しての積み上げ時にじゃまになったり、あるいは輸送時に電装ユニットが損傷する等の問題が生じ得る。
【０００９】
本発明の課題は、付加機能を持つ空気調和装置と基本機能しか持たない空気調和装置との間で電装ユニットの共通化をできるだけ行いつつ、電装ユニットの製造コストを抑えることにある。
本発明の別の課題は、輸送時に電装ユニットが損傷したり、輸送の妨げになるのを抑えることにある。
【００１０】
【課題を解決するための手段】
請求項１に係る空気調和装置の室内機の電装ユニットは、基本機能に加えて付加機能を追加可能な電装ユニットであって、基本機能に関する電気部品が実装される基本基板を覆う第１及び第２カバーを有する基本電装品箱を備えている。そして、付加機能を追加するときには、付加機能に関する電気部品が実装される付加基板を覆う第３カバーを有する付加電装品箱が、第２カバーを外した基本電装品箱に第２カバーの代わりに装着される。
【００１１】
ここでは、基本機能のみに機能を絞り込んだ標準仕様の空気調和装置の室内機には、基本電装品箱によって構成される電装ユニットが組み込まれる。基本電装品箱には、基本機能に関する電気部品が実装される基本基板が搭載されている。一方、ユーザーの注文等により、基本機能に加えて付加機能を追加する場合は、基本電装品箱の第１カバーに装着されている第２カバーが取り外され、この第２カバーの代わりに、付加電装品箱が基本電装品箱の第１カバーに装着される。付加電装品箱には、付加機能に関する電気部品が実装される付加基板が搭載されている。
【００１２】
この電装ユニットでは、基本基板に実装される電気部品を基本機能に関するものに絞り、付加機能に関する電気部品は基本基板から分離して別の付加基板に実装している。そして、基本機能のみからなる標準仕様の空気調和装置（標準機）の場合は、基本基板を有する基本電装品箱を電装ユニットとして室内機に組み込むので、標準機において不要な電気部品等が搭載されることがなくなり、標準機のコストを抑えることができる。
【００１３】
また、例えば室内機を上下のユニットに分離して輸送する場合、下部のユニットに装着される電装ユニットとして、標準機用のユニット、すなわち付加電装品箱の装着されていない基本電装品箱のみを備えた電装ユニットを用いることにより、電装ユニットの占めるスペースを小さくでき、特に高さ寸法を抑えた場合は、電装ユニットが下部ユニットの上面から突出するのを抑えることができ、電装ユニットが輸送時の妨げになったり、輸送時に電装ユニットが損傷するのを抑えることができる。
【００１４】
請求項２に係る空気調和装置の室内機の電装ユニットは、請求項１の電装ユニットにおいて、第１カバーは基本基板の側方及び下方を覆う箱本体であり、第２カバーは基本基板の上方を覆う蓋である。
ここでは、基本電装品箱において、箱本体としての第１カバーが基本基板の側方及び下方を覆っており、蓋としての第２カバーが基本基板の上方を覆っている。そして、付加電装品箱を装着する場合は、この付加電装品箱が、基本電装品箱の蓋としての第２カバーの代わりに箱本体に装着されるので、交換作業が容易になる。
【００１５】
請求項３に係る空気調和装置の室内機の電装ユニットは、請求項２の電装ユニットにおいて、第２カバー及び第３カバーはともに防炎機能を有している。ここでは、何らかの原因によって電気部品が異常発熱した場合でも、第２カバー又は第３カバーが防炎機能を有しているので、安全性が損なわれることはない。
請求項４に係る空気調和装置の室内機の電装ユニットは、請求項１から３のいずれかの電装ユニットにおいて、第１カバーは固定部を有しており、第２カバー及び第３カバーはともに第１カバーの固定部に係合する被固定部を有している。
【００１６】
ここでは、基本機能のみを有する場合と、基本機能に加えて付加機能を有する場合とで、第１カバーが共通化されているが、この共通に使用される第１カバーに固定部が設けられ、第２カバー及び第３カバーの両カバーには、第１カバーの固定部に係合する被固定部が設けられている。すなわち、取付部分が共通化されているので、製造コストをより抑えることができる。
【００１７】
請求項５に係る空気調和装置の室内機の電装ユニットは、請求項１から４のいずれかの電装ユニットにおいて、付加機能を追加するときには、基本基板と付加基板とを結ぶ信号線が、第１カバー及び第３カバーの内側空間を通る。
ここで、基本基板と付加基板とは分離されているので、両基板を電気的に接続するための信号線が必要になる。この信号線は、各カバーの外側に配置することも可能であるが、外側に配置すると、電装ユニットを輸送する際に、信号線が切断されたり、接続のコネクタが外れる等の問題が起こり得る。
【００１８】
そこでこの請求項５に係る発明では、信号線を第１カバー及び第３カバーの内側空間を通すようにしている。このために、信号線が切断されたり、接続コネクタが外れたりすることを防止できる。また、ユニット全体の占めるスペースが小さくなる。
【００１９】
【発明の実施の形態】
［空気調和装置の全体構成］
本発明の一実施形態による電装ユニットが搭載された室内機を有する空気調和装置の外観を図１に示す。
この空気調和装置１は、室内の壁面などに取り付けられる室内機２と、室外に設置される室外機３とを備えている。空気調和装置１は、１つの室内機２に対して１つの室外機３が対応づけられ、冷媒配管や伝送線から成る集合連絡管４によって両者２，３が接続されている。
【００２０】
［室内機の構成］
図２〜図６に示すように、空気調和装置１の室内機２は、主として、上部ケーシング６、下部ユニット７及び室内機２の内部に収容されている熱交換器ユニット５によって構成されている。なお、図５では、下部ユニット７の主な構成部品については省略している。上部ケーシング６は室内機２の上部を構成し、下部ユニット７は室内機２の下部を構成している。上部ケーシング６と下部ユニット７とは別体に形成されており、これらは輸送時において一般的にそれぞれ分離して輸送される。
【００２１】
熱交換器ユニット５は、図３に詳細に示すように、熱交換器５０、補助配管５１、補助支持部材５２等によって構成されている。そして、この熱交換器ユニット５は下部ユニット７側に支持される。なお、図３は、上部ケーシング６が取り外された状態の室内機２の右側面図である。熱交換器５０は、下方が開放された逆Ｖ字型の形状であり、補助配管５１によって室内機２の外部にある冷媒配管に接続されている。また、補助支持部材５２は、熱交換器５０の両側面付近に設けられており、熱交換器５０を支持している。
【００２２】
上部ケーシング６は概ね平坦に形成された前面部６０を有しており、前面部６０の一部には段差が設けられている。この段差の上面には室内機２の長手方向に長いスリット状の開口からなる前面吸込み口６０１が設けられている。また、上部ケーシング６の天面部６１は、室内熱交換器５０の上方を覆っており、複数のスリット状の開口からなる天面吸込み口６１１が設けられている。
【００２３】
下部ユニット７は、図２及び図４に示すように、下部ケーシング７０、クロスフローファン７１、室内ファンモータ７２、電装ユニット７３等がモジュール化され、支持フレーム７８によって各構成部品が支持されている。下部ケーシング７０の下前面部７４には、室内機２の長手方向に沿う吹出し口７４１が設けられている。この吹出し口７４１は、クロスフローファン７１が収納されている内部の空間に連通しており、クロスフローファン７１によって生成された空気流は吹出し口７４１を通って室内へと吹き出す。また、吹出し口７４１には、室内に吹出す空気を案内するための水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００２４】
そして、前述のように、支持フレーム７８に、上方からクロスフローファン７１、室内ファンモータ７２、電装ユニット７３、室内熱交換器ユニット５等が取り付けられている。
以上のような構成により、室内機２は、クロスフローファン７１によって吸込口６０１，６１１から内部に吸い込んだ空気を熱交換器５０に通すことで除熱あるいは加熱して吹出し口７４１から室内へと吹き出す基本機能を有する。除熱あるいは加熱といった空気調和処理は、吸込空気温度や熱交換器温度などを基に、図示しない電動膨張弁や室外機３内の圧縮機の制御により行われる。また、表示パネル（図示せず）による運転状態表示、ブザーの鳴動、水平フラップ７４２による吹出空気の上下方向制御などの機能も、室内機２が基本機能として備えている。
【００２５】
以上は、基本機能のみを有する標準仕様の空気調和装置１の室内機２について説明したが、基本機能に加えて他の付加機能を盛り込んだ高級仕様の空気調和装置では、マイナスイオン発生機能、加湿ユニットによる湿度制御機能、室内の人の位置に応じた空調制御を行うための人検知機能、癒し効果を目的とする超音波発生機能、垂直フラップによる吹出空気の左右方向制御機能、集中制御や遠隔制御などを可能にするホームオートメーションに参画するための機能などの付加機能を有している。
【００２６】
ここで、マイナスイオン発生機能を付加する場合には、電極などの他に、マイナスイオン発生用回路が必要になり、また、湿度制御機能を付加する場合には、室外などに設けられた加湿ユニットの他に、加湿制御を行うマイクロコンピュータが必要になる。このように、各種の付加機能を基本機能に加えて装備する場合には、基本機能用の基板とは別に付加機能用の基板を電装ユニットに搭載する必要がある。なお、電装ユニットについて後述する。
【００２７】
［電装ユニット：標準仕様］
電装ユニットは、標準仕様の空気調和装置に用いられる基本電装品箱のみからなるタイプのものと、基本機能に加えて付加機能が追加されたオプション仕様の空気調和装置に用いられる基本電装品箱に付加電装品箱を追加したタイプのもとが用意されている。
【００２８】
図７及び図８に示す電装ユニットは、標準仕様の装置に用いられるものであり、基本電装品箱７３０を有している。この基本電装品箱７３０は、基本的には、ケーシングとしての第１カバー（以下、ケーシングと記す）８０と、ケーシング８０内に設けられ電気部品が実装される基本基板８１と、ケーシング８０の蓋となる第２カバー（以下、標準機用カバーと記す）８２とから構成されている。なお、ケーシング８０及び標準機用カバー８２はともに防炎機能を有している。
【００２９】
ケーシング８０は、本体８０１及び側板８０２からなり、基本基板８１の側方及び下方を覆う箱状に形成されている。本体８０１は、基本基板８１の下方、裏面及び左右の側部を覆うとともに、基本基板８１が固定されている。また、側板８０２は、本体８０１の開放する側部に固定され、基本基板８１の表面側を覆うように配置されている。ここで、本体８０１の基本基板８１の側部を覆う１対の壁８０１ａ，８０１ｂにおいて、その下方には切欠き８０１ｃが形成されている。また、側板８０２には、下方においてケーシング８０の内部側に突出し、本体８０１の切欠き８０１ｃに嵌り合うように段差８０２ａが形成されている。すなわち、本体８０１に側板８０２が装着された状態のケーシング８０においては、図７〜図９に示すように、ケーシング８０の下方で室内機２の外側にスペースＳが確保されている。このスペースＳに、基本電装品箱７３０の基本基板８１と室外機３とを電気的に接続するための信号線を通すことが可能となっている。なお、基本基板８１には、側板８０２の段差８０２ａが形成されていない部分に比較的高さ寸法の高い電気部品が実装され、段差８０２ａが形成されている部分には高さ寸法高い電気部品が実装されないように構成されている。
【００３０】
標準機用カバー８２は、基本基板８１の上方を覆うように、ケーシング８０の上方に装着されている。図８に示すように、標準機用カバー８２の後部には凸部８２ａが、側部２カ所には係止爪８２ｂが、それぞれ下方に突出して設けられている。これらの凸部８２ａ及び係止爪８２ｂは、ともに弾性変形が可能である。また、係止爪８２ｂは、爪部分からさらに上方に延びて形成されており、係止解除用の操作部８２ｃとなっている。一方、ケーシング８０において、凸部８２ａに対応する位置には、凸部８２ａが係合可能なスリット８０ａが形成されており、また、係止爪８２ｂに対応する位置には、係止爪８２ｂが係止可能な被係止部８０ｂが形成されている。
【００３１】
ここでは、標準機用カバー８２をケーシング８０に装着する場合には、まず、凸部８２ａをケーシング８０のスリット８０ａに挿入し、その状態で標準機用カバー８２を下方に回転させる。そして、標準機用カバー８２の係止爪８２ｂがケーシング８０の被係止部８０ｂに当接した状態でさらに下方に押し込むと、係止爪８２ｂが被係止部８０ｂに係止する。一方、標準機用カバー８２をケーシング８０から取り外す際は、係止爪８２ｂ上方の操作部８０ｃを内側に押し、係止爪８２ｂと被係止部８０ｂとの係止を解除する。そして、その状態のまま標準機用カバー８２を前方から上方に持ち上げることにより取り外すことができる。このようにして、標準機用カバー８２はケーシング８０に対して容易に着脱が可能である。
【００３２】
なお、基本基板８１には、基本機能に関する制御を行うためのマイクロコンピュータ、クロスフローファン７１を駆動するための回路、水平フラップ駆動モータを駆動するための回路、定数設定回路、室外電装ユニットとの伝送を行うための回路、リモコン（図示せず）からの赤外線信号を受光する受光センサとマイコンとを結ぶ回路、表示パネルにおける表示を制御するための回路、各センサからの入力をマイクロコンピュータに伝える回路などが設けられている。このように、基本基板８１には、室内機２の基本機能に関する電気部品が実装されて、各機能に対応する回路が形成されている。そして、この基本基板８１は各付加機能について制御を行う能力は有していない。
【００３３】
以上のように、基本機能のみを搭載した標準仕様の空気調和装置では、電装ユニット７３として、ケーシング８０に基本基板８１を搭載し、標準機用カバー８２が装着された基本電装品箱７３０が用いられる。この場合の下部ユニット７の側面図を図４に示しているが、ここでは、電装ユニット７３の高さとクロスフローファン７１の最大高さとがほぼ一致している。
【００３４】
そして、空気調和装置を製造元から輸送する場合は、このような標準仕様の電装ユニット７３を下部ユニット７に搭載した状態で輸送する。したがって、電装ユニット７３が他の構成部品に比較して上方に突出することがなく、下部ユニット７を積み上げるときにも電装ユニット７３がじゃまになることはない。また、同様の理由により、輸送中に電装ユニット７３が他の部材に衝突して損傷したりするのを防止できる。
【００３５】
［電装ユニット：オプション仕様］
上記のように、電装ユニット７３は、基本的には、ケーシング８０と基本基板８１と標準機用カバー８２とから構成された基本電装品箱７３０が用いられる。これに対し、付加機能が付けられた高級（オプション）仕様の空気調和装置に対しては、図１０に示すようなオプション電装品箱７３１が用いられる。このオプション電装品箱７３１は、基本電装品箱７３０の標準機用カバー８２に代えて、図１０及び図１１に示す第３カバーとしての付加電装品箱９０がケーシング８０に装着されたものである。
【００３６】
付加電装品箱９０は、図１１に示すように、下方が開放する箱形状であり、付加機能に関する電気部品が実装された付加基板９１を内部に有している。この付加基板９１と基本基板８１とは信号線９２で結ばれている。また、標準機用カバー８２と同様に、付加電装品箱９０の後部には凸部９０ａが、側部には係止爪９０ｂが形成されている。これらの凸部９０ａ及び係止爪９０ｂの構成は、標準機用カバー８２の凸部８２ａ及び係止爪８２ａと全く同様である。そして、これらの凸部９０ａ及び係止爪９０ｂが、それぞれケーシング８０側に形成されたスリット８０ａと被係止部８０ｂとに係合し、付加電装品箱９０は、標準機用カバー８２と同様にしてケーシング８０に対して容易に着脱が可能である。このようにして付加電装品箱９０がケーシング８０に装着された状態では、信号線９２は、ケーシング８０と付加電装品箱９０とによって形成される内部空間に収納され、外部に出ないようになっている。また、付加電装品箱９０は防炎機能を有している。
【００３７】
なお、付加基板９１に実装される電気部品は、例えば、付加機能に関する制御を行うためのマイクロコンピュータ、マイナスイオン発生用回路、垂直フラップ駆動回路、ホームオートメーション用回路、超音波発生回路、マイコン周辺回路、人検知回路などである。
以上のようなオプション仕様は、ユーザーの注文等に応じて製造される。この場合は、前述のように、標準仕様の標準機カバー８２をケーシング８０から取り外し、標準機カバー８２に代えて、付加電装品箱９０をケーシング８０に装着するだけでよい。このようにして付加電装品箱９０がケーシング８０に装着された状態では、両者は一体化されて１つのオプション用電装品箱７３１となっている。
【００３８】
ここで、付加電装品箱９０をケーシング８０に装着するに際し、基本基板８１と付加基板９１とを信号線９２によって接続するが、信号線９２はケーシング８０及び付加電装品箱９０の内部に収められている。また、ケーシング８０に形成されたスリット８０ａ及び被係止部８０ｂは、標準機カバー８２の凸部８２ａ及び係止爪８０ｂにも、またオプション用電装品箱９０の凸部９０ａ及び係止爪９０ｂにも同様に係合可能となっているので、オプション用電装品箱９０を容易に装着することができる。
【００３９】
［空気調和装置の室内機の特徴］
以上のような本実施形態では、基本基板８１に実装される電気部品を基本機能に関するものに絞り、付加機能に関する電気部品は、必要に応じて用意される付加基板９１に実装するようにしている。このため、基本基板８１のみを有する標準機のコストを抑えることができる。
【００４０】
また、標準仕様の電装ユニット７３では、高さ寸法が抑えられているので、室内機を上下のユニットに分割して輸送する場合、標準仕様の電装ユニット７３を装着して輸送することによって下部ユニットを効率よく積み上げることができるとともに、輸送時の電装ユニット７３の損傷を抑えることができる。
ここで、付加電装品箱９０を基本電装品箱のケーシング８０に装着する場合、基本基板８１と付加基板９１とを接続する信号線９２を、ケーシング外部を通して配線することも考えられる。しかし、この実施形態では、信号線９２は付加電装品箱９０とケーシング８０の内部に収められているので、電装ユニット全体の占有スペースを抑えることができるとともに、信号線の断線を防止できる。
【００４１】
［変形例］
（Ａ）
ケーシング８０と標準機用カバー８２及び付加電装品箱９０との位置関係は前記実施形態に限定されない。すなわち、前記実施形態では、ケーシング８０の上方に標準機用カバー８２あるいは付加電装品箱９０が取り付けられる場合について説明したが、ケーシング８０の側部に標準機用カバー８２あるいは付加電装品箱９０が取り付けられる場合であってもよい。
【００４２】
（Ｂ）
ケーシング８０や標準機用カバー８２及び付加電装品箱９０の形状等については前記実施形態に限定されるものではなく、例えば、ケーシング８０の側方の一部が開放されているような形状でもよい。
（Ｃ）
ケーシング８０に対して、標準機用カバー８２と付加電装品箱９０とを、共通の係合構造によって装着可能としたが、係合のための構造がそれぞれ別の構造であっても良い。
【００４３】
（Ｄ）
標準機用カバー８０と付加電装品箱９０の外郭に防炎用のプレートを装着して、防炎機能をさらに強化しても良い。
【００４４】
【発明の効果】
請求項１に係る室内機の電装ユニットでは、基本基板に実装される電気部品を基本機能に関するものに絞り、付加機能に関する電気部品は基本基板から分離して別の付加基板に実装するようにしたので、基本機能のみからなる空気調和装置のコストを抑えることができる。
【００４５】
請求項２に係る室内機の電装ユニットでは、付加機能を追加する場合は、基本電装品箱に装着される第２カバーの代わりに付加電装品箱を装着するだけでよく、標準仕様からオプション仕様への変更が容易になる。
請求項３に係る室内機の電装ユニットでは、第２カバー及び第３カバーはともに防炎機能を有しているので、安全性が損なわれることはない。
【００４６】
請求項４に係る室内機の電装ユニットでは、第２カバー及び第３カバーは、ともに、第１カバーの固定部に係合する被固定部を有しており、取付部分が共通化されているので、製造コストをより抑えることができる。
請求項５に係る室内機の電装ユニットは、付加機能を追加する場合において、基本基板と付加基板とを結ぶ信号線が第１カバー及び第３カバーの内側空間を通るので、信号線が切断されたり、接続コネクタの外れを防止できる。また、ユニット全体の占めるスペースが小さくなる。
【図面の簡単な説明】
【図１】空気調和装置の外観図。
【図２】室内機の断面側面図。
【図３】下部ユニットの側面図。
【図４】下部ユニットの側面図。
【図５】室内機の分解斜視図。
【図６】室内機の分解側面図。
【図７】標準仕様の電装ユニットの外観図。
【図８】標準仕様の電装ユニットの分解図。
【図９】電装ユニットを下部ユニットに装着した様子を示す斜視部分図。
【図１０】オプション仕様の電装ユニットの外観図。
【図１１】オプション仕様の電装ユニットの分解図。
【符号の説明】
１    空気調和装置
２    室内機
７３    電装ユニット
８０    ケーシング（第１カバー）
８０ａ  スリット
８０ｂ  被係止部
８１    基本基板
８２    標準機用カバー（第２カバー）
８２ａ  凸部
８２ｂ  係止爪
９０    付加電装品箱
９０ａ    凸部
９０ｂ  係止爪
９１    付加基板
７３０    基本電装品箱
７３１    オプション用電装品箱
【図１】
2005016801.tif 000003
【図２】
2005016801.tif 000004
【図３】
2005016801.tif 000005
【図４】
2005016801.tif 000006
【図５】
2005016801.tif 000007
【図６】
2005016801.tif 000008
【図７】
2005016801.tif 000009
【図８】
2005016801.tif 000010
【図９】
2005016801.tif 000011
【図１０】
2005016801.tif 000012
【図１１】
2005016801.tif 000013